【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
光ディスクを記録坦体として、当該記録坦体に対しての記録と再生とを行う光ディスク装置において、
上記記録坦体上に形成された記録面に、光スポットを照射する光スポット照射手段と、
上記照射する上記光スポットの強度を制御するレーザパワー制御手段と、
上記記録面上に記録、又は再生を行うべき位置と、上記光スポットの位置との差異である光スポット位置ずれを検出して、検出信号を出力する光スポット位置ずれ検出手段と、
上記光スポット位置ずれ検出手段の出力する検出信号を増幅し、増幅検出信号を出力する検出信号増幅手段と、
上記検出信号増幅手段の出力する増幅検出信号に応じて、後述する光スポット位置移動手段を制御する光スポット位置制御手段と、
上記光スポット位置制御手段の制御に応じて、上記光スポット照射手段を移動させる光スポット位置移動手段と、
上記レーザパワー制御手段における上記制御と、上記検出信号増幅手段における上記増幅とを制御する装置制御手段とを備えたことを特徴とする光ディスク装置。
【請求項２】
請求項１に記載の光ディスク装置において、
上記光スポット位置ずれ検出手段は、上記記録面に形成された情報トラックと、上記光スポットの位置との差異であるトラック位置ずれを検出するトラックずれ検出手段であり、
上記検出信号増幅手段は、上記トラックずれ検出手段の出力信号を増幅するトラックずれ増幅手段であり、
上記光スポット位置制御手段は、上記トラックずれ増幅手段の出力信号に応じて後述するトラック移動手段を制御するトラッキング制御手段であり、
上記光スポット位置移動手段は、上記光スポット照射手段を、上記トラッキング制御手段の制御に応じて移動させるトラック移動手段であり、
上記装置制御手段は、上記レーザパワー制御手段における上記制御と、上記トラックずれ増幅手段における上記増幅とを制御するものであることを特徴とする光ディスク装置。
【請求項３】
請求項１に記載の光ディスク装置において、
上記光スポット位置ずれ検出手段は、上記記録面と、上記光スポットの位置との差異である焦点位置ずれを検出するフォーカスずれ検出手段であり、
上記検出信号増幅手段は、上記フォーカスずれ検出手段の出力信号を増幅するフォーカスずれ増幅手段であり、
上記光スポット位置制御手段は、上記フォーカスずれ増幅手段の出力信号に応じて後述するフォーカス移動手段を制御するフォーカス制御手段であり、
上記光スポット位置移動手段は、上記光スポット照射手段を、上記フォーカス制御手段の制御に応じて移動させるフォーカス移動手段であり、
上記装置制御手段は、上記レーザパワー制御手段における上記制御と、上記フォーカスずれ増幅手段における上記増幅とを制御するものであることを特徴とする光ディスク装置。
【請求項４】
請求項１ないし３のいずれかに記載の光ディスク装置において、
上記装置制御手段は、
上記レーザパワー制御手段により、上記光スポットの強度を変化させる制御がなされたとき、当該制御後の所定の期間は、上記検出信号増幅手段における増幅率を、小さくするよう制御するものであることを特徴とする光ディスク装置。
【請求項５】
請求項１ないし３のいずれかに記載の光ディスク装置において、
上記検出信号増幅手段の出力する信号と、所定のレベルを示す信号との切り換えを行い、そのいずれかを、上記光スポット位置制御手段に対して出力する光スポット位置ずれ信号切り換え手段をさらに備え、
上記装置制御手段は、
上記レーザパワー制御手段により、上記光スポットの強度を変化させる制御がなされたとき、当該制御後の所定の期間内は、上記光スポット位置ずれ信号切り換え手段が所定のレベルを示す信号を出力するよう制御するものであることを特徴とする光ディスク装置。
【請求項６】
請求項５に記載の光ディスク装置において、
上記光スポット位置ずれ信号切り換え手段は、
上記トラックずれ増幅手段の出力する信号と、所定のレベルを示す信号との切り換えを行い、そのいずれかを、上記トラッキング制御手段に対して出力するトラックずれ信号切り換え手段であり、
上記装置制御手段は、
上記レーザパワー制御手段により、上記光スポットの強度を変化させる制御がなされたとき、当該制御後の所定の期間内は、上記トラックずれ信号切り換え手段が所定のレベルを示す信号を出力し、
上記所定の期間内に、上記トラックずれ増幅手段による上記増幅の増幅率を、光スポットの強度の変化に対応した値に設定し、
上記所定の期間が経過したとき、上記トラックずれ信号切り換え手段が上記トラックずれ増幅手段の出力する信号を出力するように制御するものであることを特徴とする光ディスク装置。
【請求項７】
請求項５に記載の光ディスク装置において、
上記光スポット位置ずれ信号切り換え手段は、
上記フォーカスずれ増幅手段の出力する信号と、所定のレベルを示す信号との切り換えを行い、そのいずれかを、上記フォーカス制御手段に対して出力するフォーカスずれ信号切り換え手段であり、
上記装置制御手段は、
上記レーザパワー制御手段により、上記光スポットの強度を変化させる制御がなされたとき、当該制御後の所定の期間内は、上記フォーカスずれ信号切り換え手段が所定のレベルを示す信号を出力し、
上記所定の期間内に、上記フォーカスずれ増幅手段による上記増幅の増幅率を、光スポットの強度の変化に対応した値に設定し、
上記所定の期間が経過したとき、上記フォーカスずれ信号切り換え手段が上記フォーカスずれ増幅手段の出力する信号を出力するように制御するものであることを特徴とする光ディスク装置。
【請求項８】
請求項１ないし３のいずれかに記載の光ディスク装置において、
上記記録坦体からの反射光量を検出する光量検出手段と、
上記光量検出手段の出力を増幅する光量検出信号増幅手段と、
上記光量検出信号増幅手段の出力レベルの変化に基づいて、上記記録坦体の傷を検出する傷検出手段とをさらに備えたことを特徴とする光ディスク装置。
【請求項９】
請求項８に記載の光ディスク装置において、
上記装置制御手段は、
上記傷検出手段の検出結果に対応して、上記検出信号増幅手段による上記増幅の増幅率を制御するものであり、
上記レーザパワー制御手段により、上記光スポットの強度を変化させる制御がなされたとき、当該制御後の所定の期間は、上記光量検出信号増幅手段における増幅率を、小さくするよう制御するものであることを特徴とする光ディスク装置。
【請求項１０】
請求項８に記載の光ディスク装置において、
上記検出信号増幅手段の出力する信号と、所定のレベルを示す信号との切り換えを行い、そのいずれかを、上記光スポット位置制御手段に対して出力する光スポット位置ずれ信号切り換え手段をさらに備え、
上記装置制御手段は
上記傷検出手段の検出結果に対応して、上記光スポット位置ずれ信号切り換え手段が所定のレベルを示す信号を出力するよう制御し、
かつ、上記レーザパワー制御手段により、上記光スポットの強度を変化させる制御がなされたとき、当該制御後の所定の期間内は、上記光量検出信号増幅手段における増幅率を、小さくするよう制御するものであることを特徴とする光ディスク装置。
【手続補正２】
【補正対象書類名】明細書
【補正対象項目名】００１１
【補正方法】変更
【補正の内容】
【００１１】
また、請求項３にかかる光ディスク装置は、請求項１の装置において、上記光スポット位置ずれ検出手段は、上記記録面と、上記光スポットの位置との差異である焦点位置ずれを検出するフォーカスずれ検出手段であり、上記検出信号増幅手段は、上記フォーカスずれ検出手段の出力信号を増幅するフォーカスずれ増幅手段であり、上記光スポット位置制御手段は、上記フォーカスずれ増幅手段の出力信号に応じて後述するフォーカス移動手段を制御するフォーカス制御手段であり、上記光スポット位置移動手段は、上記光スポット照射手段を、上記フォーカス制御手段の制御に応じて移動させるフォーカス移動手段であり、上記装置制御手段は、上記レーザパワー制御手段における上記制御と、上記フォーカスずれ増幅手段における上記増幅とを制御するものである。
【手続補正３】
【補正対象書類名】明細書
【補正対象項目名】００８０
【補正方法】変更
【補正の内容】
【００８０】
請求項３の光ディスク装置によれば、請求項１の装置において、上記光スポット位置ずれ検出手段は、上記記録面と、上記光スポットの位置との差異である焦点位置ずれを検出するフォーカスずれ検出手段であり、上記検出信号増幅手段は、上記フォーカスずれ検出手段の出力信号を増幅するフォーカスずれ増幅手段であり、上記光スポット位置制御手段は、上記フォーカスずれ増幅手段の出力信号に応じて後述するフォーカス移動手段を制御するフォーカス制御手段であり、上記光スポット位置移動手段は、上記光スポット照射手段を、上記フォーカス制御手段の制御に応じて移動させるフォーカス移動手段であり、上記装置制御手段は、上記レーザパワー制御手段における上記制御と、上記フォーカスずれ増幅手段における上記増幅とを制御するので、レーザパワー値が変化する際に、フォーカスずれ増幅手段の増幅処理を制御し、検出したフォーカスずれを示す信号の、制御に対する寄与を制御することにより、レーザパワー値変化に起因する、フォーカスずれを示す信号の変化によるフォーカス制御の乱れを抑制することが可能となる。